(57)【特許請求の範囲】
【請求項１】
一端側が開放し内部を袋状に構成した第一の表紙と、
この第一の表紙に対面し得る第二の表紙と、
この第二の表紙から前記第一の表紙側に延出するとともに前記一端側へ挿入可能に設けられ前記両表紙の綴じ元間の背幅寸法を任意に設定し得る背表紙と、
前記第二の表紙を基端として延出し紙葉類に形成された綴じ孔を挿通する綴じ足と、
前記紙葉類を押さえ込みながら前記綴じ孔を挿通した前記綴じ足の先端側に固定される押さえ具と、
前記第一の表紙に取り付けられるベース及びこのベースから他端側に延出し前記綴じ足の先端側に連結可能な補助足を有し、前記第一の表紙の内面に添設する待機姿勢及び前記補助足が前記綴じ足の先端に連結する使用姿勢をとり得る補助具と
を具備し、
前記第一の表紙が、前記補助足の先端を内部に収容するための補助足収容穴を有していることを特徴とするファイル。
【請求項２】
一端側が開放し内部を袋状に構成した第一の表紙と、
この第一の表紙に対面し得る第二の表紙と、
この第二の表紙から前記第一の表紙側に延出するとともに前記一端側へ挿入可能に設けられ前記両表紙の綴じ元間の背幅寸法を任意に設定し得る背表紙と、
前記第二の表紙を基端として延出し紙葉類に形成された綴じ孔を挿通する綴じ足と、
前記紙葉類を押さえ込みながら前記綴じ孔を挿通した前記綴じ足の先端側に固定される押さえ具と、
前記第一の表紙に取り付けられるベース及びこのベースから他端側に延出し前記綴じ足の先端側に連結可能な補助足を有し、前記第一の表紙の内面に添設する待機姿勢及び前記補助足が前記綴じ足の先端に連結する使用姿勢をとり得る補助具と
を具備し、
前記第一の表紙が、前記補助具のベースを前記補助足が前記第一の表紙から起立する方向に動作させ得るように切り起こした切り起こし部を有していることを特徴とするファイル。
【請求項３】
一端側が開放し内部を袋状に構成した第一の表紙と、
この第一の表紙に対面し得る第二の表紙と、
この第二の表紙から前記第一の表紙側に延出するとともに前記一端側へ挿入可能に設けられ前記両表紙の綴じ元間の背幅寸法を任意に設定し得る背表紙と、
前記第一及び第二の表紙のうち一方の表紙を基端として延出し紙葉類に形成された綴じ孔を挿通する綴じ足と、
前記紙葉類を押さえ込みながら前記綴じ孔を挿通した前記綴じ足の先端側に固定される押さえ具と、
前記第一及び第二の表紙のうち他方の表紙に取り付けられるベース及びこのベースから他端側に延出し前記綴じ足の先端側に連結可能な補助足を有し、前記他方の表紙の内面に添設する待機姿勢及び前記補助足が前記綴じ足の先端に連結する使用姿勢をとり得る補助具と
を具備し、
前記補助具のベースが、前記他方の表紙の内面に取り付けた状態で使用者側に露出する露出板と、この露出板に係合した状態で該露出板とともに前記他方の表紙を挟み込む裏当てとを備えていることを特徴とするファイル。
【請求項４】
前記補助足が可撓性を有している請求項１、２又は３記載のファイル。
【請求項５】
前記綴じ足が、前記補助足と連結する先端が基端側よりも細くなるテーパ形状をなす請求項１、２、３又は４記載のファイル。
【請求項６】
前記押さえ具が、前記綴じ足を挿通するベース体と、このベース体に設けられ前記ベース体を挿通した綴じ足を前記ベース体に沿って屈曲させた状態で前記ベース体とともに前記綴じ足を固定し得る綴じ姿勢及び前記綴じ足から離間した開放姿勢とを取り得る押さえ部材とを有するものであり、
前記ベース体における前記綴じ足を挿通する箇所を一部が面方向に開放した切欠として、前記開放姿勢において前記ベース体の面方向から前記綴じ足を離間させ得るようにしている請求項１、２、３、４又は５記載のファイル。
【請求項７】
一端側が開放し内部を袋状に構成した第一の表紙と、
この第一の表紙に対面し得る第二の表紙と、
この第二の表紙から前記第一の表紙側に延出するとともに前記一端側へ挿入可能に設けられ前記両表紙の綴じ元間の背幅寸法を任意に設定し得る背表紙と、
前記第一の表紙を基端として延出し紙葉類に形成された綴じ孔を挿通する綴じ足と、
前記紙葉類を押さえ込みながら前記綴じ孔を挿通した前記綴じ足の先端側に固定される押さえ具と、
前記第二の表紙に取り付けられるベース及びこのベースから延出し前記綴じ足の先端側に連結可能な補助足を有し、前記第二の表紙の内面に添設する待機姿勢及び前記補助足が前記綴じ足の先端に連結する使用姿勢をとり得る補助具と
を具備し、
前記第二の表紙が、前記補助足の先端を内部に収容するための補助足収容穴を有していることを特徴とするファイル。
【請求項８】
一端側が開放し内部を袋状に構成した第一の表紙と、
この第一の表紙に対面し得る第二の表紙と、
この第二の表紙から前記第一の表紙側に延出するとともに前記一端側へ挿入可能に設けられ前記両表紙の綴じ元間の背幅寸法を任意に設定し得る背表紙と、
前記第一の表紙を基端として延出し紙葉類に形成された綴じ孔を挿通する綴じ足と、
前記紙葉類を押さえ込みながら前記綴じ孔を挿通した前記綴じ足の先端側に固定される押さえ具と、
前記第二の表紙に取り付けられるベース及びこのベースから延出し前記綴じ足の先端側に連結可能な補助足を有し、前記第二の表紙の内面に添設する待機姿勢及び前記補助足が前記綴じ足の先端に連結する使用姿勢をとり得る補助具と
を具備し、
前記第二の表紙が、前記補助具のベースを前記補助足が前記第二の表紙から起立する方向に動作させ得るように切り起こした切り起こし部を有していることを特徴とするファイル。
【発明の詳細な説明】
【技術分野】
【０００１】
本発明は、所要量の紙葉類を好適に綴じることができるファイルに関するものである。
【背景技術】
【０００２】
オフィスや公共の施設に限らず、綴じ孔が形成された多くの紙葉類を表紙体に綴じることができるファイルが種々提案され、用途によって態様が異なるファイルがそれぞれ使い分けられていることが多い。すなわち、紙葉類に記された内容や新しさといった観点から、表紙体に綴じる紙葉類の追加、変更を目的として頻繁に加除作業が行われると想定される用途では、綴じ足が表紙体上で表表紙側及び裏表紙側に分離して開放状態となり得る綴じ具が設けられた、所謂リングファイルやチューブファイルと称されるファイルが利用されることが多い。
【０００３】
一方、表紙体に綴じる紙葉類の追加、変更が行われる頻度が低いと想定される場合では上記とは異なる態様をなすファイルが利用される。すなわち、表表紙及び裏表紙の何れか一方の表紙を基端として延出する綴じ足を有し、紙葉類の綴じ孔を挿通し露出した綴じ足の先端側において他方の表紙に設けられた押さえ具で紙葉類を押さえながら綴じ足を固定することにより、紙葉類を綴じるといった態様であるファイルが利用されることが多い。
【０００４】
ここで近年、上述した後者の態様を有するファイルであっても、綴じられている特定の紙葉類を例えばコピーする等といった目的にて利用される機会が少なからず発生していることが分かった。その場合、一部の紙葉類を綴じ足から一時的に取り外し前記特定の紙葉類を取り出して当該目的を果たした後、これら紙葉類をもとの順番にて綴じ直すといった手順が行われる。そしてこれらのような手順にて行われる紙葉類の所謂「中抜き作業」とも称される加除作業の際、綴じ足から一時的に離間した紙葉類に設けられた綴じ孔が互いに連通した状態が維持されないと、その後の綴じ直しの手順が煩雑となってしまう。
【０００５】
そこで斯かる煩雑な作業を回避するために、現在ではこのような態様を有するファイルにおいて、一時的に綴じ足の先端に接続し得る補助足を設けたファイルが提案されている（例えば、特許文献１参照）。すなわち使用者は上記加除作業のために移動したい紙葉類を一時的に綴じ足から補助足に綴じ孔が挿通されるように移し換えておくことができる。これにより、しかる後の綴じ直しの手順を上記とは逆の手順を経ることにより円滑に行うことができる。
【０００６】
特に当該特許文献に記載のものは、綴じようとする紙葉類の量に応じて背表紙の幅を変更可能に構成された表紙体を有している。つまり、特に綴じ直しの手順が煩雑となり易いような、背表紙の幅が大きく設定されて綴じている紙葉類の量が多い場合であっても少ない場合と略変わらない労力にて加除作業を行うことができる。
【先行技術文献】
【特許文献】
【０００７】
【特許文献１】特許第５５６８７７７号公報
【非特許文献】
【０００８】
【非特許文献１】「コクヨ２０１５総合カタログ」、ステーショナリー編、コクヨ株式会社、２０１４年１２月発行、（Ｐ．３４〜３５記載のファイル、Ｐ５２〜５３記載のファイル参照）
【発明の概要】
【発明が解決しようとする課題】
【０００９】
しかしながら、上記特許文献１に記載のものは、補助足が背表紙に添設されている。つまり、当該背表紙は綴じる紙葉類の量に応じて一部が袋状をなす何れかの表紙に収容されるために、補助足の中間位置において不要な折り癖が形成されてしまうことがある。そしてこの折り癖が使用時に円滑な紙葉類の移動が図れないといった事態を招来してしまうといったことが考えられる。また当該文献に記載のものは補助足が背表紙に設けられていることから当該補助足の長さを十分に長くできず、当該補助足が保持し得る紙葉類の量が制限されてしまうといったことも想定される。
【００１０】
本発明は、上述したような点を想定することによってなされたものであり、綴じている紙葉類の厚みが大きい場合であっても円滑に加除作業を行うことができるファイルを提供することを目的としている。
【課題を解決するための手段】
【００１１】
本発明は、このような目的を達成するために、次のような手段を講じたものである。
【００１２】
すなわち請求項１の発明に係るファイルは、一端側が開放し内部を袋状に構成した第一の表紙と、この第一の表紙に対面し得る第二の表紙と、この第二の表紙から前記第一の表紙側に延出するとともに前記一端側へ挿入可能に設けられ前記両表紙の綴じ元間の背幅寸法を任意に設定し得る背表紙と、前記第二の表紙を基端として延出し紙葉類に形成された綴じ孔を挿通する綴じ足と、前記紙葉類を押さえ込みながら前記綴じ孔を挿通した前記綴じ足の先端側に固定される押さえ具と、前記第一の表紙に取り付けられるベース及びこのベースから他端側に延出し前記綴じ足の先端側に連結可能な補助足を有し、前記第一の表紙の内面に添設する待機姿勢及び前記補助足が前記綴じ足の先端に連結する使用姿勢をとり得る補助具とを具備し、前記第一の表紙が、前記補助足の先端を内部に収容するための補助足収容穴を有していることを特徴とする。
請求項２の発明に係るファイルは、一端側が開放し内部を袋状に構成した第一の表紙と、
この第一の表紙に対面し得る第二の表紙と、この第二の表紙から前記第一の表紙側に延出するとともに前記一端側へ挿入可能に設けられ前記両表紙の綴じ元間の背幅寸法を任意に設定し得る背表紙と、前記第二の表紙を基端として延出し紙葉類に形成された綴じ孔を挿通する綴じ足と、前記紙葉類を押さえ込みながら前記綴じ孔を挿通した前記綴じ足の先端側に固定される押さえ具と、前記第一の表紙に取り付けられるベース及びこのベースから他端側に延出し前記綴じ足の先端側に連結可能な補助足を有し、前記第一の表紙の内面に添設する待機姿勢及び前記補助足が前記綴じ足の先端に連結する使用姿勢をとり得る補助具とを具備し、前記第一の表紙が、前記補助具のベースを前記補助足が前記第一の表紙から起立する方向に動作させ得るように切り起こした切り起こし部を有していることを特徴とする。
【００１３】
このようなものであれば、補助足は待機姿勢において第一の表紙の内面に添設しているので、背表紙と第一の表紙との屈曲箇所によって不要な折り癖が形成されることもない。つまり綴じ足の先端に接続する補助足には不要な折り癖が無いため、綴じ足に綴じ孔を挿通させた紙葉類をスムーズに補助足側へ移動させることができる。すなわち本発明によれば、綴じている紙葉類の厚みが大きい場合であっても円滑に加除作業を行うことができるファイルを提供することができる。
加えて、請求項１の発明の構成では、第一の表紙が、補助足の先端を内部に収容するための補助足収容穴を有しているので、待機姿勢における補助足が紙葉類の閲覧と、他の使用時の邪魔にならないようにすることができる。
また、請求項２の発明の構成では、第一の表紙に、補助具のベースを補助足が第一の表紙から起立する方向に動作させ得るように切り起こした切り起こし部を設けているので、使用姿勢において補助足自体を過度に変形させることを回避しながら円滑な紙葉類の加除を行い得るようにすることができる。
【００１４】
また、より円滑に紙葉類の加除作業を行い得るようにするためには、補助足を可撓性を有したものとすることが好ましい。
【００１７】
綴じ足から補助足への紙葉類の移動を円滑に行い得るようにするための構成として、綴じ足が、補助足と連結する先端が基端側よりも細くなるテーパ形状をなす構成を挙げることができる。
【００１８】
また、押さえ具及び綴じ足によって紙葉類を綴じた状態から速やかに補助具の使用姿勢による紙葉類の加除を行い得るようにするためには、押さえ具を、綴じ足を挿通するベース体と、このベース体に設けられベース体を挿通した綴じ足をベース体に沿って屈曲させた状態でベース体とともに綴じ足を固定し得る綴じ姿勢及び綴じ足から離間した開放姿勢とを取り得る押さえ部材とを有するものとし、ベース体における綴じ足を挿通する箇所を一部が面方向に開放した切欠として、開放姿勢においてベース体の面方向から綴じ足を離間させ得るようにしていることが望ましい。これにより、紙葉類を速やかに押さえ具の横方向から離間させる、所謂「横抜き」が可能となり、押さえ具から綴じ足を離間させる手間を減じることで速やかに綴じ足と補助足との連結を行うことができる。
【００１９】
また、請求項３の発明に係るファイルは、一端側が開放し内部を袋状に構成した第一の表紙と、この第一の表紙に対面し得る第二の表紙と、この第二の表紙から前記第一の表紙側に延出するとともに前記一端側へ挿入可能に設けられ前記両表紙の綴じ元間の背幅寸法を任意に設定し得る背表紙と、前記第一及び第二の表紙のうち一方の表紙を基端として延出し紙葉類に形成された綴じ孔を挿通する綴じ足と、前記紙葉類を押さえ込みながら前記綴じ孔を挿通した前記綴じ足の先端側に固定される押さえ具と、前記第一及び第二の表紙のうち他方の表紙に取り付けられるベース及びこのベースから他端側に延出し前記綴じ足の先端側に連結可能な補助足を有し、前記他方の表紙の内面に添設する待機姿勢及び前記補助足が前記綴じ足の先端に連結する使用姿勢をとり得る補助具とを具備し、前記補助具のベースが、前記他方の表紙の内面に取り付けた状態で使用者側に露出する露出板と、この露出板に係合した状態で該露出板とともに前記他方の表紙を挟み込む裏当てとを備えていることを特徴とする。
請求項７の発明に係るファイルは、一端側が開放し内部を袋状に構成した第一の表紙と、この第一の表紙に対面し得る第二の表紙と、この第二の表紙から前記第一の表紙側に延出するとともに前記一端側へ挿入可能に設けられ前記両表紙の綴じ元間の背幅寸法を任意に設定し得る背表紙と、前記第一の表紙を基端として延出し紙葉類に形成された綴じ孔を挿通する綴じ足と、前記紙葉類を押さえ込みながら前記綴じ孔を挿通した前記綴じ足の先端側に固定される押さえ具と、前記第二の表紙に取り付けられるベース及びこのベースから延出し前記綴じ足の先端側に連結可能な補助足を有し、前記第二の表紙の内面に添設する待機姿勢及び前記補助足が前記綴じ足の先端に連結する使用姿勢をとり得る補助具とを具備し、前記第二の表紙が、前記補助足の先端を内部に収容するための補助足収容穴を有していることを特徴とする。
請求項８の発明に係るファイルは、一端側が開放し内部を袋状に構成した第一の表紙と、この第一の表紙に対面し得る第二の表紙と、この第二の表紙から前記第一の表紙側に延出するとともに前記一端側へ挿入可能に設けられ前記両表紙の綴じ元間の背幅寸法を任意に設定し得る背表紙と、前記第一の表紙を基端として延出し紙葉類に形成された綴じ孔を挿通する綴じ足と、前記紙葉類を押さえ込みながら前記綴じ孔を挿通した前記綴じ足の先端側に固定される押さえ具と、前記第二の表紙に取り付けられるベース及びこのベースから延出し前記綴じ足の先端側に連結可能な補助足を有し、前記第二の表紙の内面に添設する待機姿勢及び前記補助足が前記綴じ足の先端に連結する使用姿勢をとり得る補助具とを具備し、前記第二の表紙が、前記補助具のベースを前記補助足が前記第一の表紙から起立する方向に動作させ得るように切り起こした切り起こし部を有していることを特徴とする。
【００２０】
このようなものであっても、上記ファイルと同様の効果を奏し得る。
【発明の効果】
【００２１】
本発明によれば、綴じている紙葉類の厚みが大きい場合であっても円滑に加除作業を行うことができるファイルを提供することができる。
【図面の簡単な説明】
【００２２】
【図１】本発明の一実施形態に係る正面図。
【図２】同実施形態に係る外観図。
【図３】同実施形態に係る表紙体の正面図。
【図４】同補助具の正面図。
【図５】図４に係るＩＩ−ＩＩ線断面図。
【図６】同ＩＩＩ−ＩＩＩ線断面図。
【図７】同実施形態に係る要部を拡大した外観図。
【図８】図１に係る要部を拡大したＩ−Ｉ線断面図。
【図９】図７に係る動作説明図。
【図１０】同上。
【図１１】同実施形態の変形例に係る正面図。
【発明を実施するための形態】
【００２３】
以下、本発明の一実施の形態について図面を参照して説明する。
【００２４】
本実施形態に係るファイルＦは、図１〜図１０に示すように、例えば、紙葉類（図１０に図示）Ｓの保管を目的としながらも、一時的な閲覧や、一部の紙葉類Ｓに対するコピーを行うとき等に行う所謂「中抜き」とも称される作業を円滑に行い得るものである。当該ファイルＦに綴じられている紙葉類Ｓは、その一例として、それ以前は頻繁に追加、差し替え等の編集が速やかに行い得るよう、開閉動作可能な金属製のリングやチューブといった綴じ桿に綴じ孔（図１０に図示）ＳＨを挿通する態様の綴じ具に綴じられていたものである。そして当該綴じ具に一定期間綴じられ、追加編集等が頻繁になされた後、当該追加編集等があまり行われない時期が来た紙葉類Ｓが、本実施形態に係るファイルＦに移し換えられるというケースを想定している。
【００２５】
このファイルＦは、紙葉類Ｓを綴じ得る厚み寸法である背幅寸法を可変とし得る態様をなす表紙体Ｈを有している。この表紙体Ｈは、一端側が開放し内部を袋状に構成した第一の表紙たる表表紙１と、この表表紙１に対面し得る第二の表紙たる裏表紙２と、この裏表紙２から表表紙１に延出するとともに表表紙１の袋状に構成した一端側へ挿入可能に設けられ両表紙１、２の綴じ元間の背幅寸法を任意に設定し得る背表紙Ｂとを有している。そしてこのファイルＦが当該表紙体Ｈに加え、裏表紙２を基端として延出し紙葉類Ｓに形成された綴じ孔ＳＨを挿通する綴じ足４と、紙葉類Ｓを押さえ込みながら綴じ孔ＳＨを挿通した綴じ足４の先端側に固定される押さえ具５と有している。つまり、綴じ足４の基端側を取り付けている裏表紙２の一部と、綴じ足４と、押さえ具５と、この押さえ具５を固定している表表紙１の一部とによって、所謂綴じ具を構成している態様をなす。
【００２６】
ここで、本実施形態に係るファイルＦは、上記表紙体Ｈ及び綴じ具を構成し得る構成に加え、表表紙１に取り付けられるベース７と、このベース７から他端側に延出し綴じ足４の先端側に連結可能な補助足８とを有し、表表紙１の内面に添設する待機姿勢（Ｐ）及び補助足８が綴じ足４の先端に連結する使用姿勢（Ｑ）をとり得る補助具６とを具備していることを特徴とする。以下、斯かるファイルＦの各構成要素について、具体的に説明する。
【００２７】
表紙体Ｈは、図１乃至図３に示すように、上述した通り押さえ具５を取り付けた表表紙１と、綴じ足４の基端側を固定した裏表紙２と、裏表紙２及び背表紙Ｂから構成される。
【００２８】
表表紙１は、本実施形態では綴じ元側に押さえ具５を固定しつつ内部に背表紙Ｂを収容し得るよう袋状に構成しているものであり、通常外方に露出している表面１１と、この表面１１の裏面側に設けられた表紙の内面たる内面３と、これら表面１１と内面３との間に形成され一端側すなわち綴じ元側から背表紙Ｂの一部又は略全部を挿入し得る背挿入部１２と、内面３の一端側すなわち綴じ元側から延出し紙葉類Ｓを直接押圧するための押圧板１４とを有している。なおこの背挿入部１２には補助具６並びに補助足８の一部が適宜収容されることとなるが斯かる態様については後述する。押圧板１４は、表面１１の一端である綴じ元側から延出させたものであり、押さえ具５を取り付けるとともに紙葉類Ｓの綴じ元側を押圧し得る。またこの押圧板１４は、綴じ孔ＳＨに対応する上下位置の先端側を開放させるスリット１４ｓが設けられることで当該スリット１４ｓの開放端から綴じ足４を挿抜させ得るようにしている。
【００２９】
内面３は、本実施形態では後述する補助具６を好適に取り付け得る、「表紙の内面」となるように設定してある。すなわちこの内面３は、切り起こし部たるフラップ板３１と、退避凹部３２と、補助足収容穴たる収容穴３３とを有している。
【００３０】
フラップ板３１は、内面３における上下方向中央且つ綴じ元側である一端縁近傍を概略コの字に切り欠くことによって他端側が起立するよう回動し得るように形成されたもので、補助具６のベース７を取り付けるための取付穴３４と、ベース７に設けた当接リブを挿通させるための挿通穴３５と、使用者が当該フラップを手指によって起立させやすいように他端側中央を凹ませた凹み３６とを有している。またこのフラップ板３１は他端側を起立させるために、綴じ元側である一端側には図示破線で示す折り線３ｈが形成される。
【００３１】
退避凹部３２は、フラップ板３１に固定されたベース７から延出する補助足８が干渉することを回避すべくフラップ板３１の上下端に対抗する部分を他端側へ向けて一部切り欠いて形成したものである。そしてこの内面３における退避凹部３２のさらに他端側には、さらに補助足収容穴たる収容穴３３が形成されている。すなわちこの補助具６を使用しない待機姿勢（Ｐ）では、補助足８の先端はこの収容穴３３に挿入され、背挿入部１２内に収容される。換言すれば、表表紙１は、補助足８の先端を内部に収容するための補助足収容穴たる収容穴３３を有している。
【００３２】
裏表紙２は、本実施形態では綴じ元側に綴じ足４を固定しつつ背表紙Ｂに一体的に連続させて構成しているものであり、通常外方に露出している表面２１と、この表面２１の裏側であり上記内面３に対面する位置に配された内側面２３と、２本の綴じ足４を固定している基板２５とを有している。なおこの裏表紙２の表面２１と内側面２３との間には何ら空間は形成されておらず、例えば２枚の紙素材の略全面が貼り合わされた構成をなす。基板２５は、綴じ足４を挿通させ、また固定する役割を果たす内取付孔２５ａ及び外取付孔２５ｂをそれぞれ２箇所に有している。本実施形態では、内取付孔２５ａが紙葉類Ｓに設けた綴じ孔ＳＨに対応する位置に位置付けられている。本実施形態では綴じ足４は外取付孔２５ｂに固定し、内取付孔２５ａを挿通させた箇所のみをもって紙葉類Ｓを綴じる図示の態様のみを開示しているが、内取付孔２５ａのみで綴じ足４を固定し、綴じ足４の略全長に対応する厚みの紙葉類Ｓを綴じ得る態様とすることも可能である。
【００３３】
背表紙Ｂは、裏表紙２に一体に形成されてなるものである。具体的には背表紙Ｂは、裏表紙２の基板２５から表表紙１側に、例えば１０ｃｍ以上延出している。この背表紙Ｂの少なくとも一部を背挿入部１２に挿入した状態とし、表表紙１、裏表紙２間に露出する部分の長さを調整すべく背表紙Ｂを背挿入部１２から適宜挿抜することにより、綴じようとする紙葉類Ｓの厚みに対応した背幅寸法を例えば約１０ｃｍ程度までの任意の長さに設定することができる。
【００３４】
そして本実施形態に係るファイルＦは上記表紙体Ｈと、この表紙体Ｈに取り付ける綴じ足４及び押さえ具５とを有している。
【００３５】
綴じ足４は、図１〜図３に示すように、例えば樹脂により一体成形されたもので、綴じようとする紙葉類Ｓの綴じ孔ＳＨの数に対応した数だけ設けられている。この綴じ足４は、上記基板２５側に固定されるべく基端縁を板状に形成した基端部材４２と、この基端部材４２から延出し紙葉類Ｓの綴じ孔ＳＨを挿通し押さえ具５に挟持固定され得る綴じ足本体４１と、この綴じ足本体４１の先端側において補助足８に連結され得る先端４３と、この先端４３近傍において補助足８との連結部分が他の部位よりも径が大きくなり過ぎないよう先端４３に向けて漸次細くなるよう形成されたテーパ部４４とを有している。
【００３６】
押さえ具５は、図１〜図３に示すように、綴じ足４を挿通するベース体５１と、このベース体５１に設けられベース体５１を挿通した綴じ足４をベース体５１に沿って屈曲させた状態でベース体５１とともに綴じ足４を固定し得る綴じ姿勢及び綴じ足４から離間した開放姿勢とを取り得る押さえ部材５２とを有する。ベース体５１は、例えば変形し難い樹脂素材を一体に成形したものであり、本実施形態では押圧板１４に適宜固定されるベース本体５３と、綴じ足４を挿通させ得るようにこのベース本体５３の短寸方向一端側から切り欠いて構成した横向切欠５５と、この横向切欠５５の箇所を挿通した綴じ足４を収容するために巾方向中央を長手方向に凹ませて形成した綴じ足収容溝５４とを有している。押さえ部材５２は、ベース本体５３にスライド動作可能に取り付けられた互いに対向するよう一対設けられたものである。この押さえ部材５２は、所謂スライドコマとも称されるもので、綴じ足４を実際に押さえ得るとともに使用者に操作され得る押さえ部５６と、この押さえ部５６から離間した位置で使用者からの操作のみを受け付けるつまみ部５７とを有している。本実施形態では、この押さえ部材５２に対し、押さえ部５６を互いに相寄る方向に操作するとこの押さえ部５６が横向切欠５５から退避した開放姿勢となり、つまみ部５７を相寄る方向に操作するとこの押さえ部５６が横向切欠５５上に位置し綴じ足４をベース本体５３とともに挟持し固定する綴じ姿勢をとる。そして本実施形態ではこの横向切欠５５と押圧板１４のスリット１４ｓとが連通しているので、開放姿勢では綴じ足本体４１をベース７の横方向つまり押圧板１４の先端側から容易に離間させることができる。換言すれば、この押さえ具５は、ベース体５１の面方向から綴じ足４を離間させ得るように、すなわち横抜き可能に構成されている。
【００３７】
しかして本実施形態では、表表紙１の内面３に補助足８を有した補助具６を取り付けている。この補助具６を用いることにより、綴じ足４に綴じ孔ＳＨを挿通させている紙葉類Ｓの一部を一時的に補助足８側に挿通させた状態で保持しておくことで、紙葉類Ｓの加除作業を効率良く行い得るようにしている。以下、補助具６の構成について説明する。
【００３８】
補助具６は、図１〜図２、図４〜図１０に示すように、例えば樹脂の一体成形により構成されたもので、表表紙１の内面３に設けられたフラップ板３１に取り付けられたベース７と、このベース７の上下端から背表紙Ｂに遠ざかる方向に延びる補助足８とを有している。
【００３９】
ベース７は、特に図４〜図６に示すようにフラップ板３１に取り付けた状態で使用者側に露出する露出板７１と、この露出板７１から樹脂ヒンジである折畳部７ｈを介して延出し露出板７１とともにフラップ板３１を挟み込むとともに補助足８の基端と一体に成形された裏当て７２とを有している。露出板７１は、フラップ板３１の先端側に位置づけられ使用者により操作し易いように一部を隆起させた把手７３と、フラップ板３１の取付穴３４を挿通しつつ裏当て７２板に係合することで補助具６をフラップ板３１に対し強固に固定するための係合突起７４とを有している。把手７３は、露出板７１の一部の形状を湾曲させて形成した湾曲板７３ａと、この湾曲板７３ａの上下縁部を結ぶように立設した基端リブ７３ｂと、この基端リブ７３ｂに交差する方向に複数設けられ湾曲板７３ａを補強し得る補強リブ７３ｃとを有している。裏当て７２は、フラップ板３１への取り付け時に上記係合突起７４に係り合う係合穴と、フラップ板３１への取り付け時に基端リブ７３ｂに近接して位置付けられる立壁７６と、上記挿通穴３５を挿通し露出板７１に当接する当接リブ７７と、補助足８との連続箇所近傍に湾曲形状に膨出するように形成され待機姿勢（Ｐ）においてフラップ板３１に対面する表紙素材に対し背挿入部１２側に潜り込んで同待機姿勢（Ｐ）を安定して保持するための差込片７８とを有している。
【００４０】
補助足８は、少なくとも表紙体Ｈが形成し得る最大背幅寸法である１０ｃｍ以上の長さ寸法を有するものであり、上記裏当て７２から帯状に延出する帯状部８１と、この帯状部８１の先端側において上記綴じ足４に接続し得るよう形成された接続部８２とを有している。帯状部８１は、樹脂素材を裏当て７２よりも薄く構成することにより、可撓性を有する。本実施形態では補助足８における大部分の長さ寸法を占めるこの帯状部８１に可撓性を付与することにより、補助足８全体が可撓性を有するように機能させている。接続部８２は、上記綴じ足４の先端４３をテーパ部４４ごと収容し得る差込穴８３と、この差込穴８３の先端を半円状に凹ませて形成して綴じ足４の先端４３を差込穴８３に挿入し易くした誘導凹部８４と、この誘導凹部８４に対面する側で誘導凹部８４よりも突出し先端４３を差込穴８３奥方へ案内する案内面８５と、差込穴８３の奥端近傍で上下方向に貫通させた貫通孔８６とを有している。
【００４１】
しかして本実施形態に係るファイルＦでは、当該補助具６を用い、図２及び図７に示すような、綴じ足４及び補助足８を接続させることによって表紙体Ｈ上にアーチＡを形成した使用姿勢（Ｑ）とすることができる。そしてこの使用姿勢（Ｑ）において綴じ足４に綴じ孔ＳＨを挿通させていた紙葉類Ｓの一部を一時的に補助足８に挿通させておくことで、複数枚綴じられている任意の紙葉類Ｓの内任意の箇所に綴じられている紙葉類Ｓを表出させ、綴じ足４の先端４３から当該紙葉類Ｓのみを抜き出すことも容易に行い得る。以下、補助具６を使用する際の一連の動作について、図７〜図１０を参照しつつ説明する。
【００４２】
図８は、補助具６が待機姿勢（Ｐ）にある状態を示している。この待機姿勢（Ｐ）では、補助具６が表表紙１の内面３に沿って平板状に維持されながら、ベース７の裏当て７２がフラップ板３１が形成された箇所にて背挿入部１２に入り込んだ状態となっている。また当該待機姿勢（Ｐ）において、収容穴３３よりも先端側にある補助足８を当該収容穴３３に挿通させておくことで、少なくとも接続部８２を背挿入部１２内に収容しておくことができる。この待機姿勢（Ｐ）は、背挿入部１２に挿入される背表紙Ｂの寸法に拘わらず同図の通りに安定して維持される。また同図では図示しないが当該待機姿勢（Ｐ）では裏当て７２の差込片７８は内面３を構成する紙素材の下側に一部入り込むことで、ベース７の不要な浮き上がりを抑制せしめている。また待機姿勢（Ｐ）にある補助足８の裏当て７２から延出する基端部分は内面３に退避凹部３２が形成されているため、表表紙１側に干渉することは無い。
【００４３】
図９は、フラップ板３１を起こし、補助足８の先端側を背挿入部１２から抜き出した状態を示している。フラップ板３１を起こすためには、使用者は図８の待機姿勢（Ｐ）から露出板７１の把手７３に指を掛け、そのまま上方へ操作すると、図９に示す状態となる。このとき収容穴３３を挿通していた補助足８の先端側は順次収容穴３３を通って背挿入部１２から帯状部８１が適宜撓みながらスムーズに抜け出ていく。
【００４４】
図１０は、さらにフラップ板３１を起こし、補助足８の先端側を綴じ足４に接続することにより、図２及び図７に示すアーチＡを構成した状態を示している。この状態では当該アーチＡと表紙体Ｈとによって、所謂閉ループが構成された状態となっている。それ故に紙葉類Ｓを不要に散乱させることなく、紙葉類Ｓの一部を補助足８側に一時的に保持させておくことで、速やかな紙葉類Ｓの加除作業に資する。
【００４５】
具体的に説明すると、同図に示すように補助足８の接続部８２と綴じ足４の先端４３とを接続するとき、まず綴じ足４の先端４３は同図下側にある誘導凹部８４を通過して案内面８５に適宜当たりながらテーパ部４４が順次差込穴８３に容易に挿入されてゆき、その挿入過程において貫通孔８６から適宜空気が抜けながら当該差込穴８３とテーパ部４４とが密着した状態となる。
【００４６】
また本実施形態では、綴じ足４が押さえ具５に固定される向きの都合上、先端４３を接続部８２に接続するためには綴じ足本体４１を９０°程度捻らなければならない。つまり同図に示す使用姿勢（Ｑ）では、差込穴８３とテーパ部４４との間には当該捻り動作に対する応力が掛かり、捻り動作が無いときよりも摩擦抵抗が大きく抜け難くなっている。またこの捻り動作に対する応力はアーチＡ全体にも作用することになる。これにより、帯状部８１は表紙体Ｈの開閉方向に沿った方向に撓みやすく、綴じ足本体４１は押さえ具５のベース体５１に沿いやすいように撓みやすく構成されているにも拘わらず、これら補助足８及び綴じ足４によって形成されるアーチＡは図２及び図７に示すような姿勢に安定して保持される。これらの点も相まって、よりスムーズな紙葉類Ｓの加除作業のための操作が可能になっている。
【００４７】
以上のような構成とすることにより、本実施形態に係るファイルＦは、補助足８が待機姿勢（Ｐ）において表表紙１の内面３に添設しているので、背表紙Ｂと表表紙１との屈曲箇所によって不要な折り癖が形成されず、滑らかな形状をなすアーチＡを形成している。これにより、綴じ足４に綴じ孔ＳＨを挿通させた紙葉類Ｓをスムーズに補助足８側へ移動させることができる。すなわち実施形態によれば、綴じている紙葉類Ｓの厚みが大きい場合であっても円滑に加除作業を行うことができるファイルＦを実現している。
【００４８】
また、より円滑に紙葉類Ｓの加除作業を行い得るように本実施形態では、補助足８を可撓性を有したもの、具体的には補助足８を、容易に撓み得る帯状部８１を主体としたものとして、容易なアーチＡの形成を実現している。
【００４９】
また、補助具６の非使用時である待機姿勢（Ｐ）における補助足８がファイルＦの操作の邪魔にならないようにすべく本実施形態では、表表紙１に、補助足８の先端４３を内部に収容するための補助足収容穴たる収容穴３３を設けている。
【００５０】
また、使用姿勢（Ｑ）において補助足８自体を過度に変形させることを回避しながら円滑な紙葉類Ｓの加除を行い得るようにするために本実施形態で、補助具６のベース７を補助足８が表表紙１から起立する方向に動作させ得るように切り起こした切り起こし部たるフラップ板３１を表表紙１の内面３に設けている。
【００５１】
綴じ足４から補助足８への紙葉類Ｓの移動を円滑に行い得るようにするために本実施形態では、綴じ足４に、補助足８と連結する先端４３近傍が基端側よりも細くなるテーパ形状をなしたテーパ部４４を形成している。
【００５２】
特に本実施形態では、押さえ具５のベース体５１及び表表紙１の押圧板１４にそれぞれ横向切欠５５及びスリット１４ｓを設けておくことで、紙葉類Ｓを綴じている綴じ足４の中間部分である綴じ足本体４１をそのままベース７及び押圧板１４の面方向から、所謂「横抜き」を行い得る構成を適用している。これにより、押さえ具５が押圧板１４とともに紙葉類Ｓを押圧しながら綴じ足４を固定している所謂綴じ姿勢から開放姿勢としたとき、綴じ足４からベース体５１及び押圧板１４を速やかに離間させることができる。これにより、上記使用状態におけるアーチＡを構成するために、綴じ足４からベース体５１、押圧板１４を離間させるときの作業を、速やか且つ容易に行うことができる。換言すれば、上記横向切欠５５及びスリット１４ｓの代わりに周囲を閉鎖した開口のみとした場合では綴じ足４を先端４３が開口を通過するまで引き抜くといった作業が生ずるところ、本実施形態では斯かる煩わしい作業が無い。換言すれば本実施形態によれば、斯かる綴じ足４の「横抜き」により、補助具６を用いた紙葉類Ｓの加除作業をより簡便且つ円滑に行い得るものとなっている。
【００５３】
＜変形例＞
以下、本実施形態の変形例について説明する。当該変形例について、上記実施形態の構成要素に相当するものに対しては同じ符号を付すとともに、詳細な説明を省略する。
【００５４】
本変形例に係るファイルＦは、図１１に示すように、上記実施形態同様の表表紙１の構成に加え、裏表紙２における表面２１の裏面側にも表表紙１同様の内面３を設けるとともに補助具６を設けている。これにより、当該ファイルＦは、上記実施形態同様表表紙１に設けた補助具６を用いてアーチＡを形成することに加え、裏表紙２に設けた補助具６を用いてアーチＡを形成することも可能である。
【００５５】
すなわち本変形例に係るファイルＦは、上実施形態の構成に加え、第二の表紙たる裏表紙２に取り付けられるベース７及びこのベース７から延出し綴じ足４の先端側に連結可能な補助足８を有し、裏表紙２の内面３に添設する待機姿勢（Ｐ）及び補助足８が綴じ足４の先端４３に連結する使用姿勢（Ｑ）をとり得る補助具６とを具備することを特徴としている。以下、当該変形例について、上記実施形態の構成とは異なる箇所について説明する。表表紙１、押さえ具５及び補助具６については上記実施形態と同一の構成をなす。
【００５６】
裏表紙２は、基板２５の代わりに押圧板２４を設けた点及び表面２１の裏面側の構成以外は上記実施形態と同じである。また裏表紙２に設けた内面３については上記表表紙１に設けた内面３と同じ構成を有しているので同じ符号を付して説明を省略している。そしてこの裏表紙２は上記実施形態とは異なり表表紙１と内面３との間に背挿入部１２を有さないものの袋状に構成し、補助具６の裏当て７２及び補助足８の一部を当該袋内に位置付けるようにしているが当該袋状をなす構成については既存の構成であるため説明を省略する。
【００５７】
すなわち裏表紙２に対し基板２５の代わりに設けたこの押圧板２４は、上記実施形態の基板２５とは略同形状を有するものの、綴じ足４を固定するための内取付孔２５ａ及び外取付孔２５ｂを有さない代わりに、綴じ孔ＳＨに対応する上下位置の先端側を開放させるスリット２４ｓが設けられることで当該スリット２４ｓの端部から綴じ足４の中間部分である綴じ足本体４１を挿抜させ得るようにしている。
【００５８】
また本変形例に係る綴じ足４は、両端に上記実施形態同様のテーパ部４４及び先端４３を形成し、これら両テーパ部間に上記実施形態同様の綴じ足本体４１を有した構成を有している。すなわち本変形例では、何れかの一方の押圧板１４、２４に取り付けた押さえ具５を開放姿勢とすれば、綴じ姿勢にある押さえ具５及び他方の押圧板２４、１４が、上記実施形態に係る基板２５と同じ作用を奏する。これにより、表表紙１側に設けた補助具６を用いて上記実施形態同様のアーチＡを形成することも、裏表紙２側に設けた補助具６を用いて裏表紙２側の補助足８に紙葉類Ｓを保持させ得る別のアーチＡを構成することも可能である。
【００５９】
このようなものであれば、上記実施形態同様の作用効果に加え、一時的に取り出したい特定の紙葉類Ｓに対し、表表紙１側からでも裏表紙２側からでも補助具６を用いて容易に取り出し得る。換言すれば、取り出したい特定の紙葉類Ｓが表表紙１寄りに位置するのであれば表表紙１に設けた補助具６を利用し、裏表紙２寄りに位置するのであれば裏表紙２に設けた補助具６を利用することで、紙葉類Ｓを補助足８側に移動させる手間を最小限としながら加除作業を行うことができる。
【００６０】
以上、本発明の実施形態並びに変形例について説明したが、各部の具体的な構成は、上述した実施形態並びに変形例のみに限定されるものではなく、本発明の趣旨を逸脱しない範囲で種々変形が可能である。
【００６１】
例えば、上記実施形態及び変形例では表表紙側に補助具を設けている態様を開示したが勿論、裏表紙側にのみ補助具を設けた態様としても良い。そして表表紙及び／又は裏表紙の内面に補助具を設けた態様のみならず、押圧板に補助具を設けた態様としても良い。また補助具はベースを有さずに専ら補助足のみからなるものとしても良い。また上記実施形態では背表紙が裏表紙に一体に形成された表紙体を有する態様を開示したが、勿論、背表紙が表表紙とも裏表紙とも別体をなした表紙体に本発明を適用したものであってもよい。また上記実施形態では押さえ具が表紙体の一部である押圧板を介して紙葉類を押圧する態様を開示したが勿論、背幅が変更し得る表紙体であれば押さえ具のベース体が直接紙葉類を押圧し得るようにしても良い。さらに押さえ具の態様としては、綴じ足に一体に形成される態様、例えば複数の綴じ足の先端側を係合させることによって紙葉類を押圧しながら固定する態様を適用しても良い。さらに押さえ具の押さえ部材の具体的形状や動作、さらには表紙体の具体的な態様は上記実施形態のものに限定されることはなく、既存のものを含め、種々の態様のものを適用することができる。
【００６２】
その他、各部の具体的構成についても上記実施形態に限られるものではなく、本発明の趣旨を逸脱しない範囲で種々変形が可能である。
【産業上の利用可能性】
【００６３】
本発明は所要量の紙葉類を好適に綴じることができるファイルとして利用することができる。
【符号の説明】
【００６４】
Ｆ…ファイル
１…第一の表紙（表表紙）
１４ｓ…スリット
２…第二の表紙（裏表紙）
２４ｓ…スリット
Ｂ…背表紙
３…表紙の内面（内面）
３１…切り起こし部（フラップ板）
３３…補助足収容穴（収容穴）
４…綴じ足
４３…綴じ足の先端（先端）
４４…テーパ（テーパ部）
５…押さえ具
５１…ベース体
５２…押さえ部材
５５…切欠（横向切欠）
６…補助具
７…ベース
８…補助足
Ｐ…待機姿勢
Ｑ…使用姿勢
Ｓ…紙葉類
ＳＨ…綴じ孔
【図１】
0006696120.tif 000002
【図２】
0006696120.tif 000003
【図３】
0006696120.tif 000004
【図４】
0006696120.tif 000005
【図５】
0006696120.tif 000006
【図６】
0006696120.tif 000007
【図７】
0006696120.tif 000008
【図８】
0006696120.tif 000009
【図９】
0006696120.tif 000010
【図１０】
0006696120.tif 000011
【図１１】
0006696120.tif 000012